(57)【要約】【課題】タービンエンジン用のスラストリバーサアセンブリを提供する。【解決手段】タービンエンジン（１０）用のスラストリバーサアセンブリ（４４）は、ナセル（１２）によって取り囲まれたコアエンジン（１４）を含むことができる。バイパスダクト（３０）は、コアエンジン（１４）とナセル（１２）との間のスペースに形成することができる。ブロッカドア（５４）は、バイパスダクト（３０）内に延びる展開位置に移動可能である。ストッパ（５８）は、展開されたブロッカドア（５４）に当接してブロッカドア（５４）に加えられる力を支持するために、コアエンジン（１４）に設けることができる。ストッパ（５８）は、翼形部形状を有することができる。【選択図】図１
2019035403.tif 000002
【特許請求の範囲】
【請求項１】
エンジン中心線（３６）を画定するコアエンジン（１４、１１４、２１４、３１４、４１４、５１４）と、
前記コアエンジン（１４、１１４、２１４、３１４、４１４、５１４）の少なくとも一部を取り囲み、ナセル内部（４６）を含むナセル（１２、１１２）と、
前記ナセル（１２、１１２）と前記コアエンジン（１４、１１４、２１４、３１４、４１４、５１４）との間によって画定されたバイパスダクト（３０、１３０）と、
前記ナセル（１２、１１２）に結合されたブロッカドア（５４、１５４、２５４、５５４）であって、前記ブロッカドア（５４、１５４、２５４、５５４）が前記ナセル内部（４６）に配置される格納位置と、前記ブロッカドア（５４、１５４、２５４、５５４）が前記バイパスダクト（３０、１３０）内に延びて前記バイパスダクト（３０、１３０）からの空気を偏向させる展開位置との間で移動可能なブロッカドア（５４、１５４、２５４、５５４）と、
前記ブロッカドア（５４、１５４、２５４、５５４）に機械的に結合され、前記ブロッカドア（５４、１５４、２５４、５５４）を前記格納位置と前記展開位置との間で選択的に移動させるブロッカドアアクチュエータ（６２）と、
前縁（２６４、３６４、４６４）および後縁（２６６、３６６、４６６）を含む翼形部形状を有するストッパ（５８、１５８、１９８、２５８、３５８、４５８、５５８）であって、前記ブロッカドア（５４、１５４、２５４、５５４）が前記展開位置で前記ストッパ（５８、１５８、１９８、２５８、３５８、４５８、５５８）に当接する前記コアエンジン（１４、１１４、２１４、３１４、４１４、５１４）に配置され、
前記前縁（２６４、３６４、４６４）と前記後縁（２６６、３６６、４６６）との間に延びて弓形の翼形部形状を画定する湾曲したストッパ中心線（２６８、３６８）、
前記ストッパ（５８、１５８、１９８、２５８、３５８、４５８、５５８）を通って延びる開口（２７８、４７８）、または
前記ブロッカドア（５４、１５４、２５４、５５４）が前記展開位置にあるときに前記ストッパ（５８、１５８、１９８、２５８、３５８、４５８、５５８）を前記バイパスダクト（３０、１３０）内に延ばすように動作可能なアクチュエータ（５８６）
のうちの１つをさらに備えるストッパ（５８、１５８、１９８、２５８、３５８、４５８、５５８）と
を備える、タービンエンジン（１０、１１０）。
【請求項２】
前記ストッパ（５８、１５８、１９８、２５８、３５８、４５８、５５８）が、
前記前縁（２６４、３６４、４６４）と前記後縁（２６６、３６６、４６６）との間に延びて弓形の翼形部形状を画定する湾曲したストッパ中心線（２６８、３６８）、
前記ストッパ（５８、１５８、１９８、２５８、３５８、４５８、５５８）を通って延びる開口（２７８、４７８）、または
前記ブロッカドア（５４、１５４、２５４、５５４）が前記展開位置にあるときに前記ストッパ（５８、１５８、１９８、２５８、３５８、４５８、５５８）を前記バイパスダクト（３０、１３０）内に延ばすように動作可能なアクチュエータ（５８６）
のうちの２つをさらに備える、請求項１に記載のタービンエンジン（１０、１１０）。
【請求項３】
前記ストッパ（５８、１５８、１９８、２５８、３５８、４５８、５５８）が、
前記前縁（２６４、３６４、４６４）と前記後縁（２６６、３６６、４６６）との間に延びて弓形の翼形部形状を画定する湾曲したストッパ中心線（２６８、３６８）、
前記ストッパ（５８、１５８、１９８、２５８、３５８、４５８、５５８）を通って延びる開口（２７８、４７８）、または
前記ブロッカドア（５４、１５４、２５４、５５４）が前記展開位置にあるときに前記ストッパ（５８、１５８、１９８、２５８、３５８、４５８、５５８）を前記バイパスダクト（３０、１３０）内に延ばすように動作可能なアクチュエータ（５８６）
のうちの３つをさらに備える、請求項１に記載のタービンエンジン（１０、１１０）。
【請求項４】
前記ストッパ（５８、１５８、１９８、２５８、３５８、４５８、５５８）が、前記前縁（２６４、３６４、４６４）と前記後縁（２６６、３６６、４６６）との間に延びて前記弓形の翼形部形状を画定する前記湾曲したストッパ中心線（２６８、３６８）を備える、請求項１に記載のタービンエンジン（１０、１１０）。
【請求項５】
前記ストッパ（５８、１５８、１９８、２５８、３５８、４５８、５５８）の前記前縁（２６４、３６４、４６４）における前記湾曲したストッパ中心線（２６８、３６８）が、前記バイパスダクト（３０、１３０）を通る流体の局所的な流れ（２７０、３７０）と位置合わせされる、請求項４に記載のタービンエンジン（１０、１１０）。
【請求項６】
前記ストッパ（５８、１５８、１９８、２５８、３５８、４５８、５５８）の前記後縁（２６６、３６６、４６６）における前記湾曲したストッパ中心線（２６８、３６８）が、前記エンジン中心線（３６）と平行に位置合わせされる、請求項５に記載のタービンエンジン（１０、１１０）。
【請求項７】
前記バイパスダクト（３０、１３０）に設けられて前記コアエンジン（１４、１１４、２１４、３１４、４１４、５１４）に対して円周方向に少なくとも部分的に前記流体の局所的な流れ（２７０、３７０）を導く少なくとも１つの出口ガイドベーン（４８）をさらに備える、請求項３に記載のタービンエンジン（１０、１１０）。
【請求項８】
前記ストッパ（５８、１５８、１９８、２５８、３５８、４５８、５５８）の前記前縁（２６４、３６４、４６４）における前記湾曲したストッパ中心線（２６８、３６８）が、前記流体の局所的な流れ（２７０、３７０）の前記円周方向に対して位置合わせされる、請求項７に記載のタービンエンジン（１０、１１０）。
【請求項９】
前記ストッパ（５８、１５８、１９８、２５８、３５８、４５８、５５８）が、前記ストッパ（５８、１５８、１９８、２５８、３５８、４５８、５５８）を通って延びる前記開口（２７８、４７８）を備える、請求項１に記載のタービンエンジン（１０、１１０）。
【請求項１０】
前記ストッパ（５８、１５８、１９８、２５８、３５８、４５８、５５８）が、前記ブロッカドア（５４、１５４、２５４、５５４）が前記展開位置にあるときに前記ストッパ（５８、１５８、１９８、２５８、３５８、４５８、５５８）を前記バイパスダクト（３０、１３０）内に延ばすように動作可能な前記アクチュエータ（５８６）をさらに備える、請求項１に記載のタービンエンジン（１０、１１０）。
【発明の詳細な説明】
【技術分野】
【０００１】
本発明は、タービンエンジン用のスラストリバーサストッパに関する。
【背景技術】
【０００２】
タービンエンジン、特にガスまたは燃焼タービンエンジンは、エンジンを通って複数のタービンブレード上を通過する燃焼ガスの流れからエネルギーを抽出する回転エンジンである。ガスタービンエンジンは、陸上および海上移動ならびに発電に使用されてきたが、ヘリコプタを含む航空機などの航空用途に最も一般的に使用されている。航空機において、ガスタービンエンジンは、航空機の推進用に使用される。陸上用途において、タービンエンジンは、発電用に使用される場合が多い。
【０００３】
スラストリバーサアセンブリは、例えば、減速用の逆推力を提供するためにタービンエンジン内で使用される。逆推力は、典型的には、ドアアセンブリをバイパスダクト内に展開することによって達成され、これは、空気を後方方向から前方方向に転向させる。ドアアセンブリは、並進カウルを移動させてドアをバイパスダクト内に解放および／または駆動することによって、作動アセンブリと共に展開される。したがって、ブロッカドアおよびスラストリバーサアセンブリは、バイパスダクトを通って移動する高圧空気流に曝されるので、展開の速度を制御し、スラストリバーサまたは作動アセンブリに損傷を与えることなくドアに対する高圧空気流を支持するためにより高い動力を有する、より強力で、より重量のある作動システムが必要とされる。
【０００４】
展開中のブロッカドアに対する高圧空気流を収容するために、損傷を防止するより大型の作動システムが必要とされる。より大型の作動システムは、エンジンでさらなるスペースを消費し、システムに重量を加える。したがって、より小型の作動システムを使用し、エンジンに加えられる重量を低減するブロッカドアの実装が必要である。
【先行技術文献】
【特許文献】
【０００５】
【特許文献１】国際公開第２０１７／０４４０８１Ａ１号
【発明の概要】
【０００６】
一態様では、本開示は、エンジン中心線を画定するコアエンジンと、コアエンジンの少なくとも一部を取り囲み、ナセル内部を含むナセルとを含むタービンエンジンに関する。バイパスダクトは、ナセルとコアエンジンとの間によって画定される。ブロッカドアは、ナセルに結合し、ブロッカドアがナセル内部に配置される格納位置と、ブロッカドアがバイパスダクト内に延びてバイパスダクトからの空気を偏向させる展開位置との間で移動可能である。翼形部形状を有するストッパは、前縁および後縁を含み、ブロッカドアが展開位置でストッパに当接するコアエンジンに配置される。ストッパは、前縁と後縁との間に延びて弓形の翼形部形状を画定する湾曲したストッパ中心線、ストッパを通って延びる開口、またはブロッカドアが展開位置にあるときにストッパをバイパスダクト内に延ばすように動作可能なアクチュエータのうちの１つをさらに備える。
【０００７】
別の態様では、本開示は、コアエンジンと、ナセルであって、コアエンジンの少なくとも一部を取り囲んでナセルとコアエンジンとの間にバイパスダクトを画定するナセルとを含むタービンエンジン用のスラストリバーサアセンブリに関する。スラストリバーサアセンブリは、カスケード要素と、ブロッカドアがカスケード要素を閉じる格納位置と、ブロッカドアがカスケード要素を開く展開位置との間で移動可能なブロッカドアとを含む。ブロッカドアアクチュエータは、ブロッカドアに機械的に結合し、ブロッカドアを格納位置と展開位置との間で選択的に移動させる。ストッパは、展開位置でブロッカドアに当接するように配置され、前縁と後縁との間に延びて弓形の翼形部形状を画定する湾曲したストッパ中心線を含む翼形部形状、ストッパを通って延びる開口、またはブロッカドアが展開位置にあるときにストッパを延ばしてブロッカドアに当接させるように動作可能なアクチュエータのうちの１つをさらに備える。
【０００８】
さらに別の態様では、本開示は、前縁と後縁との間に延びるストッパ中心線を画定し、展開位置で隠されたブロッカドアに当接するように配置されて空気力学的負荷を展開された隠されたブロッカドアに分担する翼形部形状を備える、タービンエンジン用の展開可能な隠されたブロッカドアのストッパに関する。ストッパは、前縁と後縁との間に延びて弓形の翼形部形状を画定する湾曲したストッパ中心線、ストッパを通って延びる開口、または隠されたブロッカドアが展開位置にあるときにストッパを延ばして隠されたブロッカドアに当接させるように動作可能なアクチュエータのうちの１つをさらに備える。
【０００９】
図面の説明は、以下の通りである。
【図面の簡単な説明】
【００１０】
【図１】本発明の一態様によるストッパを有するスラストリバーサアセンブリを含む航空機用のガスタービンエンジンの従来技術の概略断面図である。
【図２】格納位置にある図１のスラストリバーサアセンブリの従来技術の分離断面図である。
【図３】展開位置にある図１のスラストリバーサアセンブリの従来技術の分離断面図である。
【図４】本発明の別の態様によるストッパを含むスラストリバーサアセンブリの従来技術の分離断面図である。
【図５】ブロッカドアに取り付けられたストッパを有する図４のスラストリバーサアセンブリの従来技術の分離断面図である。
【図６】対称翼形部形状を有するストッパの上面図である。
【図７】ブロッカドアがストッパに当接した状態の断面７−７に沿った図６のストッパの断面図である。
【図８】弓形の翼形部形状を有するストッパの上面図である。
【図９】ストッパの周りの空気流を示す図８のストッパの上面図である。
【図１０】翼形部形状を有し、ストッパの後縁に配置された開口を含むストッパの上面図である。
【図１１】開口を通る流路を示す断面１１−１１に沿った図１０の翼形部の断面図である。
【図１２】ストッパアクチュエータに結合され、空洞内に設けられたストッパを有するコアエンジンの空洞の断面図である。
【図１３】ストッパアクチュエータによって空洞から展開したストッパを有する図１２のコアエンジンの断面図である。
【発明を実施するための形態】
【００１１】
本発明の記載される態様は、スラストリバーサアセンブリ、特にガスタービンエンジンを対象とする。例示の目的で、本発明は、航空機ガスタービンエンジンに関して説明する。しかし、本発明はそのように限定されず、例えば他の移動体用途、ならびに非移動体の工業用途、商業用途、および住宅用途などの非航空機用途において一般的に適用できることが理解されよう。
【００１２】
本明細書で使用される場合、「前方」または「上流」という用語は、エンジン入口に向かう方向への移動を指すか、またはある構成要素が別の構成要素に比べて相対的にエンジン入口の近くにあることを指す。「前方」または「上流」と併せて使用される「後方」または「下流」という用語は、エンジン中心線に対してエンジンの後部または出口に向かう方向を指す。
【００１３】
さらに、本明細書で使用される場合、「半径方向の」または「半径方向に」という用語は、エンジンの中心長手方向軸線とエンジン外周との間に延びる寸法を指す。
【００１４】
さらに、「一組の」は、ただ１つの要素を含む、それぞれ記載された要素の任意の数を含むことができることをさらに理解されたい。
【００１５】
すべての方向についての言及（例えば、半径方向、軸方向、近位、遠位、上部、下部、上方、下方、左、右、横方向、前部、後部、頂部、底部、上に、下に、垂直、水平、時計回り、反時計回り、上流、下流、後方など）は、本発明の読者の理解を助けるための識別目的のためだけに使用され、特に本発明の位置、向き、または使用に関して限定するものではない。接続についての言及（例えば、取り付けられる、結合される、接続される、および接合される）は、広く解釈されるべきであり、別段の指示がない限り、１群の要素間の中間部材および要素間の相対移動を含むことができる。このように、接続についての言及は、２つの要素が直接に接続され、互いに固定された関係にあると必ずしも推測する必要はない。例示される図面は、あくまでも説明を目的とするものであり、添付の図面に反映される寸法、位置、順序、および相対サイズは、様々に変更可能である。
【００１６】
図１は、当技術分野で知られているタイプの高バイパスターボファンエンジン１０として示されているスラストリバーサアセンブリを示すガスタービンエンジンを概略的に示す。エンジン１０は、ナセル１２およびコアエンジン１４を含むものとして概略的に示されている。ナセル内部４６は、ナセル１２によって画定することができる。エンジン１０は、前方から後方に延びる略長手方向に延びる軸線または中心線３６を有する。コアエンジン１４の前方に配置されたファンアセンブリ１６は、ファンブレード２０のアレイから前方に突出するスピナノーズ１８を含む。コアエンジン１４は、高圧圧縮機２２、燃焼器２４、高圧タービン２６および低圧タービン２８を含むものとして概略的に示されている。ファンアセンブリ１６に入る空気の大部分は、エンジン１０の後部をバイパスし、追加のエンジン推力を生成する。バイパスした空気は、ナセル１２と内側コアカウル３２との間の環状バイパスダクト３０を通過し、ファン出口ノズル３４を通ってバイパスダクト３０を出る。内側コアカウル３２は、バイパスダクト３０の半径方向内側境界を画定し、コアエンジン１４から後方に延びる主排気ノズル３８への移行表面を提供する。ナセル１２は、バイパスダクト３０の半径方向外側境界を画定する。バイパスしたファン空気は、ファン出口ノズル３４を通って排出される前に、ナセル１２および内側コアカウル３２によって画定されたバイパスダクト３０を通って流れる。１つまたは複数の出口ガイドベーン４８は、ファンブレード２０の下流のバイパスダクト３０内に設けることができる。出口ガイドベーン４８は、螺旋状の円周方向成分をファンによって駆動される流体の流れに誘起することができ、または円周方向の流れを軸方向の流れに変えることができる。
【００１７】
ナセル１２は、典型的には、ナセル１２の外部境界を画定する３つの主要素：入口アセンブリ４０、ファンブレード２０を取り囲むエンジンファンケースとインターフェースするファンカウル４２、およびファンカウル４２の後方に配置されたスラストリバーサアセンブリ４４から構成される。スラストリバーサアセンブリ４４は、３つの主構成要素：ナセル１２に取り付けられた並進カウル５０、ナセル内部４６内に概略的に示されるカスケード５２、およびカスケード５２から半径方向内側に、図１に示すナセル内部４６内で格納位置から旋回可能に展開されるように適合されたブロッカドア５４を含む。コアエンジン１４の内側コアカウル３２もまた、スラストリバーサアセンブリ４４の一部であり、ブロッカドア５４が完全に展開されたとき、ブロッカドア５４の前方端部は内側コアカウル３２と噛み合うように、または近接するように旋回する。内側コアカウル３２は、バイパスダクト３０内に突出する一組のストッパ５８を設けることができる。カスケード５２がナセル１２の固定構造であるのに対し、並進カウル５０は後方に並進してカスケード５２を露出させ、ブロッカドア５４をバイパスダクト３０内に展開するように適合され、バイパスダクト３０内のバイパスした空気を露出したカスケード５２を通して転向させ、それにより逆推力効果を提供する。図１には２つのブロッカドア５４が示されているが、典型的には、一組のブロッカドア５４がナセル１２の周囲に円周方向に間隔を置いて配置される。
【００１８】
図２および図３は、当技術分野で知られているように、格納位置および展開位置におけるスラストリバーサアセンブリ４４の拡大図をそれぞれ示している。ブロッカドア５４は、カスケード５２の半径方向内側に図２に示す格納位置から、図３に示す完全展開位置に展開するように適合される。カスケード５２は、ナセル１２の固定構造の要素であり、カスケード５２がスラストリバーサアセンブリ４４の動作中に移動しないことを意味するが、並進カウル５０は、カスケード５２を露出させてブロッカドア５４をバイパスダクト３０内に展開するために、エンジン１０の後方方向６０に並進するように適合される。アクチュエータ６２が、ナセル１２内に取り付けられる。アクチュエータ６２は、業界で知られている任意の適切なタイプのものでよい。
【００１９】
アクチュエータ６２による並進カウル５０の後方方向６０への並進は、図３に示すように、ブロッカドア５４をバイパスダクト３０内に展開させ、ストッパ５８に当接させる。図３から、完全に展開されたとき、ブロッカドア５４はバイパスダクト３０の半径方向全幅にわたって延び、バイパスダクト３０内のバイパスした空気を露出したカスケード５２を通して転向させ、それにより逆推力効果を提供する。並進カウル５０の並進の前に（例えば、スラストリバーサアセンブリ４４が使用されていない間に）、格納されたブロッカドア５４はカスケード５２の半径方向内側に配置され、カスケード５２とブロッカドア５４の両方は、並進カウル５０によって完全に隠される。より具体的には、カスケード５２およびブロッカドア５４は、並進カウル５０の半径方向内側および外側壁６６および６８の間に画定された空洞６４内に収容され、それにより並進カウル５０の半径方向内側壁６６が、カスケード５２およびブロッカドア５４をバイパスダクト３０から完全に分離する。したがって、並進カウル５０の内側壁６６は、バイパスダクト３０の半径方向外側の流れ表面の一部を画定する。このように、ブロッカドア５４は、通常のエンジン動作中にバイパスダクト３０の半径方向外側の流れ表面のいかなる部分も画定せず、したがって、表面の中断部（間隙および段差）を生じさせず、またはダクトの漏れを引き起こさない。さらに、ブロッカドア５４は、通常の飛行中におけるエンジン動作の間、損傷および磨耗誘発条件に曝されない。別の利点は、並進カウル５０の内側壁６６全体が、エンジンの騒音減衰を促進するために、その全表面積の断続的な音響処理（図示せず）を組み込むことができることである。
【００２０】
展開位置では、図３に最もよく示されているように、ストッパ５８は、内側コアカウル３２に取り付けることができ、または中心線３６から半径方向にバイパスダクト３０内に延びる内側コアカウル３２と構造的に一体とすることができる。ストッパ５８は、ローラおよびガイドトラックアセンブリ７０の後方の内側コアカウル３２に配置され、それにより中心線３６に垂直でローラおよびガイドトラックアセンブリ７０の後方端部を通過する半径方向軸線９２は、ストッパ５８の前方にある。
【００２１】
ストッパ５８は、丸みを帯びた頂部を有する円筒形状とすることができるが、任意の幾何学的形状が考えられる。例示的な幾何学的形状は、バイパスダクト３０内の空気力学的抗力を最小限に抑える、またはブロッカドア５４の端部９４が静止することができるストッパ５８に画定されたシートのような、ブロッカドア５４が展開位置でストッパ５８に当接する最適な表面を提供する幾何学的形状を含むことができる。１つのさらなる例示的な幾何学的形状は、翼形部形状を含むことができる。さらに、複数のストッパ５８を単一のブロッカドア５４と共に使用することができ、または内側コアカウル３２の周囲に部分的または全体的に配置された細長い環状ストッパを、例えば、複数のブロッカドア５４と共に使用することができると考えられる。ストッパ５８は、航空宇宙用途で一般的に使用される金属、プラスチック、ゴム、および複合材料、または軸受の動的負荷、相対運動、もしくはプリロード機能に関連する衝撃もしくは磨耗に適合された任意の他の材料を含む様々な材料で構成することができることを理解されたい。ストッパはまた、機械加工、鋳造、成形、積層など、およびそれらの組合せによって製造することができる。ストッパ５８は、機械的に取り付けられ得るか、または内側コアカウルの接着部設計に一体的に形成され得る。
【００２２】
ブロッカドア５４は、ナセル１２の固定構造、カスケード５２に結合され、ならびに並進カウル５０、および内側壁６６に結合されるように示されている。ブロッカドア５４の後方端部には２つの自由度が与えられ、ブロッカドア５４を回転させ、カスケード５２に対して前方および後方方向に移動させることができる。ブロッカドア５４と並進カウル５０の内側壁６６との間の接続部は、ブロッカドア５４の後部側のトラックアセンブリ７０に取り付けられたスライダ（図示せず）を支持する回転接続部として示されている。並進カウル５０が後方に展開すると、回転ピボット８４は、ブロッカドアガイドトラック７６に沿って移動し、ブロッカドア５４をバイパスファンダクト３０内に誘導する。並進カウル５０が後方に並進すると、カスケード５２が露出する。ブロッカドア５４は、カスケード５２を通して前方方向にバイパス空気流を再転向させ、逆推力を提供する。
【００２３】
ブロッカドア５４の回転およびスライド接合部は、好ましくは、ブロッカドア５４の所望の順序および展開の速度を提供するように幾何学的かつ物理的に設計される。展開位置では、複数のブロッカドア５４は、ブロッカドア５４の縁部に沿って設けられたシールによってさらに最適化され得るダクト閉塞の所望の割合を得るように、互いにインターフェースするように構成することができる。
【００２４】
図３では、並進カウル５０は、カスケード５２が露出されてブロッカドア５４が展開されるように、アクチュエータ６２によって押されることで後方方向６０に並進されている。展開位置では、ブロッカドア５４は、ブロッカドア５４の後端部７４のストッパ５８に当接する。ピボットアセンブリ８０で旋回するブロッカドア５４は、ブロッカドア５４の長手方向がここでカスケード５２に対して鈍角を画定するように、半径方向軸線９２を越えて延びる。
【００２５】
展開位置では、ブロッカドア５４がストッパ５８に当接し、高圧（ＨＰ）空気流９６がバイパスダクト３０を通って後方方向に移動する。ＨＰ空気流９６は、力でブロッカドア５４を押圧し、空気流圧力およびブロッカドア５４の表面積によって決定される負荷を生じる。負荷はストッパ５８によって少なくとも部分的に負担され得るが、負荷は、通常、並進カウル接着部に伝達され、次にブロッカドア５４に結合されたアクチュエータ６２に伝達される。加えて、負荷は、内側コアカウル３２およびコアエンジン１４によって分担され、負荷を支えるように良好に適合され得る。したがって、アクチュエータ６２で高圧空気流９６の力によって生じた負荷は、ストッパ５８によって負担される負荷に対して低減される。
【００２６】
ここで図４および図５を参照すると、当技術分野で知られているスラストリバーサアセンブリが示されている。第２の態様の要素は、第１の態様の要素と同様であり、１００だけ増加した参照数字が、同様の要素を識別するために使用される。図４では、エンジン１１０は、ナセル１１２と、高圧タービンを有するコアエンジン１１４とを含む。バイパスダクト１３０は、ナセル１１２と高圧タービン１２６を囲む内側コアカウル１３２との間に画定される。ナセル１１２は、実質的にナセル１１２内にあるスラストリバーサアセンブリ１４４をさらに含む。
【００２７】
ナセル１１２をさらに画定する並進カウル１５０が、後方方向１６０に並進するものとして示されている。並進カウル１５０は、エンジン１１０の半径方向中心に対する内側壁１６６および外側壁１６８をさらに含む。並進カウル１５０は、後方方向１６０に並進する前には、スラストリバーサアセンブリ１４４を囲んでいる。スラストリバーサアセンブリ１４４は、カスケード１５２と、ブロッカドア１５４と、ピボットアセンブリ１８０に結合された作動システム１６２とを含む。内側コアカウル１３２に取り付けられたストッパ１５８はまた、展開されたブロッカドア１５４を受けるように適合されたスラストリバーサアセンブリ１４４の一部である。ブロッカドア１５４は、高圧（ＨＰ）空気流１９６を受けるための前端部１８８と、前端部１８８の反対側の後端部１７４とをさらに含む。ブロッカドア１５４は、ピボットアセンブリ１８０の反対側に延びる長手方向端部１９４をさらに含む。
【００２８】
スラストリバーサアセンブリ１４４の展開中、並進カウル１５０は、図４に示す位置にブロッカドア１５４を展開する後方方向１６０に並進される。半径方向軸線１９２は、ピボットアセンブリ１８０を通って半径方向に延び、エンジン中心線に垂直である。ストッパ１５８は、半径方向軸線１９２の前方の内側コアカウル１３２に取り付けられる。展開位置では、ブロッカドア１５４がストッパ１５８に当接するので、ブロッカドア１５４はカスケード１５２に対して鋭角を画定する。半径方向軸線１９２の前方に配置されたブロッカドア１５４により、多量の空気流をカスケード１５２を通して転向させることができ、逆推力の速度およびスラストリバーサアセンブリ１４４の効率を高めることができる。さらに、ＨＰ空気流１９６からの増加した負荷によりブロッカドア１５４が押圧されることがあっても、ストッパ１５８および内側コアカウル１３２がブロッカドア１５４から伝達される負荷の大部分を支える。したがって、増加した負荷はスラストリバーサアセンブリ１４４によって負担され、スラストリバーサアセンブリ１４４の有効性を高めることができる。あるいは、作動システム１６２によって負担される負荷が小さくなることで、スラストリバーサアセンブリの初期効果を犠牲にすることなく、より小型で軽量の作動システム１６２を提供する。
【００２９】
図５を参照すると、スラストリバーサアセンブリ１４４は、本発明の第２の態様に従ってブロッカドア１５４に取り付けられた代替のストッパ１９８と共に示されている。ストッパ１９８は、ブロッカドア１５４に取り付けることができ、またはブロッカドア１５４と一体的に構成することができ、それによりストッパ１９８はスラストリバーサアセンブリ１４４が格納位置にあるときに並進カウル１５０内に隠され、ストッパが内側コアカウル３２に取り付けられたときに発生し得る空気力学的抗力を排除する。ストッパ１９８は、長手方向端部１９４の近傍のブロッカドア１５４の後端部１７４に取り付けられ、シート２００の表面積が内側コアカウル１３２に当接するようにシート２００で成形することができる。シート２００は、ストッパ１９８を通して内側コアカウル１３２へのより多くの負荷の伝達を可能にする。
【００３０】
展開されたとき、ストッパ１９８は内側コアカウル１３２に当接し、それによりブロッカドア１５４は半径方向軸線１９２を越えて延びることができず、典型的には、エンジン中心線３６に対して鋭角を画定する。代替の態様では、ストッパ１９８は、ブロッカドア１５４の長手方向端部１９４、または前端部１８８に配置することができる。さらに、ストッパ１９８は、内側コアカウル１３２の略面一機構とインターフェースすることができる。
【００３１】
展開中、ストッパ１９８ならびに内側コアカウル１３２は、ブロッカドア１５４に対するＨＰ空気流１９６によって生じた負荷を支え、作動システム１６２に伝達される負荷を低減する。ブロッカドア１５４が負担する負荷は、ストッパ１９８を通って内側コアカウル１３２に伝達されるので、より小型の作動システム１６２の使用を可能にする。
【００３２】
内側コアカウル１３２に固定されているのとは対照的に、本明細書に記載された任意のストッパを、展開位置で内側コアカウル１３２に当接するように適合されたブロッカドア１５４に任意選択で取り付けることができると考えられることを理解されたい。
【００３３】
ここで図６を参照すると、代替のストッパ２５８は、コアエンジン２１４の内側コアカウル２３２の一部に配置することができる。ストッパ２５８は、第１の凸状側壁２６０および第２の凸状側壁２６２を有し、前縁２６４および後縁２６６を画定する翼形部形状を有することができる。ストッパ２５８は１つしか示されていないが、コアエンジン２１４の周囲に配置されたストッパ２５８の数は任意とすることができると考えられる。
【００３４】
ストッパ２５８は、前縁２６４と後縁２６６との間に延びる直線ストッパ中心線２６８を画定する翼形部形状を有することができる。ストッパ中心線２６８は、第１および第２の凸状側壁２６０、２６２から等距離のストッパ２５８に沿って画定することができる。ストッパ中心線２６８は、対称翼形部形状を画定するために直線状である。対称翼形部形状として図示されているが、翼形部は非対称であってもよく、湾曲したストッパ中心線を有すると考えられる。一例では、ストッパ２５８は、ストッパ中心線２６８を、図１のエンジン中心線３６などのエンジン中心線と平行に位置合わせするように配置することができる。あるいは、ストッパ２５８は、ストッパ中心線２６８を、ストッパ２５８に沿って通過する流体の局所的な流れ２７０と平行に向けるように配置することができる。流体の局所的な流れ２７０は、コアエンジン２１４に沿って通過する層状空気流であってもよい。
【００３５】
あるいは、流体の局所的な流れ２７０は、軸方向成分に加えて円周方向成分を有することができ、後方に延びるコアエンジン２１４の周りの円周方向の流れを画定すると考えられる。１つの非限定的な例では、このような空気流は、螺旋状であってもよい。このような構成では、ストッパ２５８は、ストッパ中心線２６８を流体の局所的な流れ２７０と位置合わせさせ、エンジン中心線に半径方向に平行にオフセットさせて配置することができる。
【００３６】
ここで図７を参照すると、図６の上面図の側面図が示されているが、ブロッカドア２５４は、任意選択で、前縁２６４でストッパ２５８に当接する展開位置にあってもよい。ブロッカドア２５４が展開位置にないとき、流体の局所的な流れ２７０は、ストッパ２５８の上を通って通過することができる。翼形部形状のストッパ２５８は細長い翼形部として示されているが、ストッパ２５８は、任意の適切な長さ、または望ましい任意の適切な幾何学的形状を含むことができることを理解されたい。翼形部形状のストッパ２５８はまた、切頭形状であってもよいし、鈍い後縁を有してもよい。
【００３７】
対称翼形部形状を有するストッパ２５８は、ブロッカドア２５４が展開位置にないとき、例えば図１に示す格納位置にあるときにストッパ２５８によって引き起こされる抗力を低減することができる。さらに、ストッパ２５８の対称翼形部形状は、ストッパ２５８によって生成された空気流渦流を減少させることができ、ストッパ２５８を越えてコアエンジン２１４に沿って通過する流体の局所的な流れ２７０に対する局所境界層の付着を改善することができる。ストッパ２５８によって生成された抗力および渦流を減少させることにより、エンジンの特定の燃料消費量を改善することができる一方、ブロッカドア２５４の空気力学的負荷を展開位置でストッパ２５８と分担することによって全体的なスラストリバーサアセンブリの重量を低減することができる。
【００３８】
ここで図８を参照すると、ストッパ３５８は、前縁３６４と後縁３６６との間に延びる凹状側壁３６０および凸状側壁３６２を有する、湾曲した翼形部形状、または弓形の翼形部形状を有することができる。翼形部形状のストッパ３５８は、非対称であってもよい。ストッパ３５８は、図１のコアエンジン１４の内側コアカウル３２の外部に沿ってなど、コアエンジン３１４の内側コアカウル３３２に沿って配置することができる。ストッパ３５８は１つしか示されていないが、任意の数のストッパ３５８が考えられる。
【００３９】
ストッパ３５８の弓形の翼形部形状は、前縁３６４から後縁３６６に凹状側壁３６０と凸状側壁３６２との間に等距離に延びる湾曲したストッパ中心線３６８を画定することができる。ストッパ３５８の弓形の翼形部形状は、ストッパ中心線３６８の曲率を画定する。このような曲率は、前縁３６４でストッパ中心線３６８に平行な前縁軸線３７２と、後縁３６６でストッパ中心線３６８に平行な後縁軸線３７４とを画定することができる。前縁軸線３７２および後縁軸線３７４は、ストッパ中心線３６８の曲率および湾曲した弓形の翼形部形状によって画定されるように、互いに角度を付けてオフセットすることができる。
【００４０】
ここで図９を参照すると、流体の局所的な流れ３７０は、コアエンジン３１４上のストッパ３５８に沿って通過することができる。流体の流れ３７０は、例えば、図１の出口ガイドベーン４８のような出口ガイドベーンによって生成され得る円周方向成分を有することができる。このような円周方向成分は、軸方向成分と組み合わされ、コアエンジン３１４の周囲に螺旋状の流路を生成することができる。
【００４１】
ストッパ３５８の形状および向きは、前縁軸線３７２を流体の局所的な流れ３７０と平行に向けるように配置することができる。ストッパ３５８の弓形の幾何学的形状は、ストッパ３５８に隣接する流体の流れ３７０をストッパ中心線３６８の周りで少なくとも部分的に軸方向の流れに変えることができ、ストッパ３５８に局所的な流れの円周方向成分を最小限に抑えるか、または排除する。そのような構成は、円周方向の流れ成分を有する流体の流れ３７０に直面するストッパ３５８によって引き起こされる抗力または渦流を最小限に抑えるだけでなく、ストッパ３５８およびその下流の流れの付着を改善することができる。抗力および渦流の低減、ならびに流れの付着の改善は、空気力学的負荷をストッパ３５８と分担するスラストリバーサアセンブリの利点を提供しながら、特定の燃料消費量を改善することができる。
【００４２】
ここで図１０を参照すると、ストッパ４５８は、第１の側壁４６０、第２の側壁４６２を有し、前縁４６４と後縁４６６との間に延びる翼形部形状を含むことができる。ストッパ４５８は、例えば、図１のコアエンジン１４の内側コアカウル３２に沿ってなど、コアエンジン４１４の内側カウル４３２に沿って配置することができる。対称的な翼形部形状のストッパ４５８として図示されているが、ストッパ４５８は、弓形の翼形部形状、または任意の他の適切な形状を含むことができると考えられる。開口２７８は、ストッパ４５８に設けられてもよく、翼形部形状のストッパ４５８の後縁４６６に設けられてもよい。
【００４３】
ここで図１１を参照すると、図１０の断面１１−１１に沿ったストッパ４５８の断面図は、ストッパ４５８を通ってコアエンジン４１４内に延びる開口４７８を示す。開口４７８の出口４８０は、ストッパ４５８に設けることができる。導管４８２は、開口４７８に結合することができる。導管４８２は、開口４７８から後縁４６６でストッパ４５８から排出することができる供給流体４７０に開口４７８を流体的に結合することができる。１つの非限定的な例では、開口４７８は、コアエンジン４１４内から採取されるようなブリード空気源から供給流体４７６を供給され得る。一例では、ブリード空気源は、圧縮機セクションからのものであり得る。
【００４４】
供給流体４７６は、開口４７８から排出され、ストッパ４５８の下流の境界層の付着を改善し、流体の主流４７０と一体化する。改善された境界層の付着は、ストッパ４５８の下流の渦流を低減することができ、ブロッカドアがストッパ４５８に展開されていないときにエンジンの特定の燃料消費量を改善することができる。
【００４５】
ここで図１２を参照すると、空洞５８４は、コアエンジン５１４の内側コアカウル５３２に形成することができる。翼形部形状を有するストッパ５５８は、空洞５８４内に設けることができ、任意の形状を有するストッパを利用することができる。ストッパアクチュエータ５８６は、ストッパ５５８に結合することができる。ストッパアクチュエータ５８６は、単一のアクチュエータを含むことができ、または複数のアクチュエータとすることができ、２つの部分のアクチュエータアセンブリとして示される。図１２に示すように、ストッパ５５８は、非拡張位置で空洞５８４内に設けられる。流体の流れ５７０は、実質的に層状にコアエンジン５１４に沿って空洞５８４上を通過することができる。ストッパ５５８が非拡張位置にある間、カバーが空洞５８４を囲むことができると考えられる。
【００４６】
ここで図１３を参照すると、ストッパアクチュエータ５８６は、拡張位置を画定するために、ストッパ５５８を流体の流れ５７０内に延ばす４つのエクステンダ５８８で作動されている。エクステンダ５８８が示されているが、ストッパ５５８を空洞５８４の外側に配置するための任意の適切な方法または機構が考えられる。拡張位置では、ストッパ５５８は、展開されたブロッカドア５５４に当接するように適合させることができる。ブロッカドア５５４が展開位置にないときに空洞５８４に設けられたストッパ５５８は、流体の流れ５７０に生成された抗力または渦流を最小限に抑えるか、または排除し、特定の燃料消費量を低減することができる。一例では、ストッパアクチュエータ５８６は、ブロッカドア５５４と連通可能にまたは動作可能に結合され、同時に展開して延びることができるので、ブロッカドア５５４が展開されたときにのみストッパ５５８が延ばされる。
【００４７】
図６〜図１３のストッパは、翼形部形状を有するものとして図示されているが、特定の燃料消費量を改善するためにストッパによって生成された抗力または渦流を低減し得る代替の空気力学的形状が考えられる。ストッパの非限定的な例は、卵形、丸みを帯びた、円形、楕円形、湾曲した、弧状、または切頭縁部もしくは部分のような線形または直線部分と前述との組合せなどの形状を含むことができる。
【００４８】
ブロッカドアおよびそれらの誘導された回転する接続部の動作は、特定のタイプのカスケード設計に依存せず、実際には、本発明は、バイパスした空気が様々な構成の開口部を通ってバイパスダクトから転向される非カスケードリバーサ設計に設置することができることを理解されたい。さらに、ブロッカドアはその展開中に意図的に曲げたり、収縮させたり、折り畳まれたりすることのない剛性構造で示されているが、これらの能力のいずれかを有するブロッカドアもまた本発明の範囲内である。拡張された長さのブロッカドアまたは展開時に延びる折り畳みドアを利用して、展開時に外部の空気流に延びて追加の遅延抗力を与えることができるブロッカドアを提供することができることをさらに理解されたい。最後に、スラストリバーサアセンブリおよびその個々の構成要素は、航空宇宙用途で一般的に使用される金属、プラスチックおよび複合材料を含む様々な材料で構成することができ、機械加工、鋳造、成形、積層など、およびそれらの組合せによって製造することができることも理解されたい。
【００４９】
上記の様々な態様のいずれかにおいて、遮熱コーティングなどの保護コーティング、または多層保護コーティングシステムを、カウルまたはエンジン構成要素に適用することができる。本明細書で開示される本発明に関連するシステム、方法、および他のデバイスの様々な態様は、特にファンカウルにおける改良されたスラストリバーサアセンブリを提供する。従来のスラストリバーサアセンブリは、作動システムに結合されたブロッカドアを利用する。しかし、作動システムは、バイパスダクト内で開くときのブロッカドアに対する空気流の力によって生じた負荷を支持するのに十分な構造的一体性を有さなければならず、より大型の作動システムが必要である。内側コアカウルまたはブロッカドアにストッパを利用することによって、負荷はストッパまたはコアエンジンに伝達される。したがって、作動システムによって負担される負荷が小さくなり、より軽量で小型の作動システムが可能になり、システムの重量を低減し、ナセル構造内に余分な空間を形成する。
【００５０】
本明細書に記載されたストッパは、ブロッカドアが格納位置にあるときにストッパによって引き起こされる抗力または渦流を低減することができることを理解されたい。抗力、渦流、または他の同様の空気力学的不規則性の低減は、ブロッカドアが格納位置にあるときに特定の燃料消費量を改善し、ブロッカドアが展開位置にあるときに空気力学的負荷を提供することができる。
【００５１】
すでに説明されていない限りにおいて、様々な実施形態の異なる特徴および構造を、所望に応じて互いに組み合わせて、または置き換えて使用することができる。例えば、図８〜図１３に示す特徴の１つまたは複数は、特徴の２つまたは３つを含むような任意の適切な方法で組み合わせることができる。１つの特徴を実施形態のすべてにおいて示しているわけではないということは、それが示すようにできないと解釈されるものではなく、説明を簡潔にするためにそのようにしているのである。したがって、新規な実施形態が明白に記載されているか否かを問わず、新規な実施形態を形成するように、異なる実施形態の様々な特徴を所望のように混合し適合させることができる。本明細書に記載の特徴のすべての組合せまたは置換は、本開示によって包括される。
【００５２】
本明細書は、最良の形態を含む本発明を開示するために、かつ当業者が、任意のデバイスまたはシステムを製作し使用し、任意の組み込まれた方法を実行することを含めて、本発明を実施することができるように実施例を用いている。本発明の特許可能な範囲は、特許請求の範囲によって定義され、当業者が想到する他の実施例を含むことができる。このような他の実施例は、特許請求の範囲の文言との差がない構造要素を有する場合、または特許請求の範囲の文言との実質的な差がない等価の構造要素を含む場合、特許請求の範囲内にあることを意図している。
［実施態様１］
エンジン中心線（３６）を画定するコアエンジン（１４、１１４、２１４、３１４、４１４、５１４）と、
前記コアエンジン（１４、１１４、２１４、３１４、４１４、５１４）の少なくとも一部を取り囲み、ナセル内部（４６）を含むナセル（１２、１１２）と、
前記ナセル（１２、１１２）と前記コアエンジン（１４、１１４、２１４、３１４、４１４、５１４）との間によって画定されたバイパスダクト（３０、１３０）と、
前記ナセル（１２、１１２）に結合されたブロッカドア（５４、１５４、２５４、５５４）であって、前記ブロッカドア（５４、１５４、２５４、５５４）が前記ナセル内部（４６）に配置される格納位置と、前記ブロッカドア（５４、１５４、２５４、５５４）が前記バイパスダクト（３０、１３０）内に延びて前記バイパスダクト（３０、１３０）からの空気を偏向させる展開位置との間で移動可能なブロッカドア（５４、１５４、２５４、５５４）と、
前記ブロッカドア（５４、１５４、２５４、５５４）に機械的に結合され、前記ブロッカドア（５４、１５４、２５４、５５４）を前記格納位置と前記展開位置との間で選択的に移動させるブロッカドアアクチュエータ（６２）と、
前縁（２６４、３６４、４６４）および後縁（２６６、３６６、４６６）を含む翼形部形状を有するストッパ（５８、１５８、１９８、２５８、３５８、４５８、５５８）であって、前記ブロッカドア（５４、１５４、２５４、５５４）が前記展開位置で前記ストッパ（５８、１５８、１９８、２５８、３５８、４５８、５５８）に当接する前記コアエンジン（１４、１１４、２１４、３１４、４１４、５１４）に配置され、
前記前縁（２６４、３６４、４６４）と前記後縁（２６６、３６６、４６６）との間に延びて弓形の翼形部形状を画定する湾曲したストッパ中心線（２６８、３６８）、
前記ストッパ（５８、１５８、１９８、２５８、３５８、４５８、５５８）を通って延びる開口（２７８、４７８）、または
前記ブロッカドア（５４、１５４、２５４、５５４）が前記展開位置にあるときに前記ストッパ（５８、１５８、１９８、２５８、３５８、４５８、５５８）を前記バイパスダクト（３０、１３０）内に延ばすように動作可能なアクチュエータ（５８６）
のうちの１つをさらに備えるストッパ（５８、１５８、１９８、２５８、３５８、４５８、５５８）と
を備える、タービンエンジン（１０、１１０）。
［実施態様２］
前記ストッパ（５８、１５８、１９８、２５８、３５８、４５８、５５８）が、
前記前縁（２６４、３６４、４６４）と前記後縁（２６６、３６６、４６６）との間に延びて前記弓形の翼形部形状を画定する前記湾曲したストッパ中心線（２６８、３６８）、
前記ストッパ（５８、１５８、１９８、２５８、３５８、４５８、５５８）を通って延びる前記開口（２７８、４７８）、または
前記ブロッカドア（５４、１５４、２５４、５５４）が前記展開位置にあるときに前記ストッパ（５８、１５８、１９８、２５８、３５８、４５８、５５８）を前記バイパスダクト（３０、１３０）内に延ばすように動作可能な前記アクチュエータ（５８６）
のうちの２つをさらに備える、実施態様１に記載のタービンエンジン（１０、１１０）。
［実施態様３］
前記ストッパ（５８、１５８、１９８、２５８、３５８、４５８、５５８）が、
前記前縁（２６４、３６４、４６４）と前記後縁（２６６、３６６、４６６）との間に延びて前記弓形の翼形部形状を画定する前記湾曲したストッパ中心線（２６８、３６８）、
前記ストッパ（５８、１５８、１９８、２５８、３５８、４５８、５５８）を通って延びる前記開口（２７８、４７８）、または
前記ブロッカドア（５４、１５４、２５４、５５４）が前記展開位置にあるときに前記ストッパ（５８、１５８、１９８、２５８、３５８、４５８、５５８）を前記バイパスダクト（３０、１３０）内に延ばすように動作可能な前記アクチュエータ（５８６）
のうちの３つをさらに備える、実施態様１に記載のタービンエンジン（１０、１１０）。
［実施態様４］
前記ストッパ（５８、１５８、１９８、２５８、３５８、４５８、５５８）が、前記前縁（２６４、３６４、４６４）と前記後縁（２６６、３６６、４６６）との間に延びて前記弓形の翼形部形状を画定する前記湾曲したストッパ中心線（２６８、３６８）を備える、実施態様１に記載のタービンエンジン（１０、１１０）。
［実施態様５］
前記ストッパ（５８、１５８、１９８、２５８、３５８、４５８、５５８）の前記前縁（２６４、３６４、４６４）における前記湾曲したストッパ中心線（２６８、３６８）が、前記バイパスダクト（３０、１３０）を通る流体の局所的な流れ（２７０、３７０）と位置合わせされる、実施態様４に記載のタービンエンジン（１０、１１０）。
［実施態様６］
前記ストッパ（５８、１５８、１９８、２５８、３５８、４５８、５５８）の前記後縁（２６６、３６６、４６６）における前記湾曲したストッパ中心線（２６８、３６８）が、前記エンジン中心線（３６）と平行に位置合わせされる、実施態様５に記載のタービンエンジン（１０、１１０）。
［実施態様７］
前記バイパスダクト（３０、１３０）に設けられて前記コアエンジン（１４、１１４、２１４、３１４、４１４、５１４）に対して円周方向に少なくとも部分的に流体の局所的な流れ（２７０、３７０）を導く少なくとも１つの出口ガイドベーン（４８）をさらに備える、実施態様４に記載のタービンエンジン（１０、１１０）。
［実施態様８］
前記ストッパ（５８、１５８、１９８、２５８、３５８、４５８、５５８）の前記前縁（２６４、３６４、４６４）における前記湾曲したストッパ中心線（２６８、３６８）が、前記流体の局所的な流れ（２７０、３７０）の前記円周方向に対して位置合わせされる、実施態様７に記載のタービンエンジン（１０、１１０）。
［実施態様９］
前記ストッパ（５８、１５８、１９８、２５８、３５８、４５８、５５８）が、前記ストッパ（５８、１５８、１９８、２５８、３５８、４５８、５５８）を通って延びる前記開口（２７８、４７８）を備える、実施態様１に記載のタービンエンジン（１０、１１０）。
［実施態様１０］
前記開口（２７８、４７８）が、前記ストッパ（５８、１５８、１９８、２５８、３５８、４５８、５５８）の前記後縁（２６６、３６６、４６６）に設けられる、実施態様９に記載のタービンエンジン（１０、１１０）。
［実施態様１１］
前記コアエンジン（１４、１１４、２１４、３１４、４１４、５１４）を少なくとも部分的に通って延びるブリード空気導管をさらに備え、前記開口（２７８、４７８）が、前記ブリード空気導管と流体的に結合されて前記ブリード空気の流れを前記開口（２７８、４７８）に供給する、実施態様１０に記載のタービンエンジン（１０、１１０）。
［実施態様１２］
前記ストッパ（５８、１５８、１９８、２５８、３５８、４５８、５５８）が、前記ブロッカドア（５４、１５４、２５４、５５４）が前記展開位置にあるときに前記ストッパ（５８、１５８、１９８、２５８、３５８、４５８、５５８）を前記バイパスダクト（３０、１３０）内に延ばすように動作可能な前記アクチュエータ（５８６）をさらに備える、実施態様１に記載のタービンエンジン（１０、１１０）。
［実施態様１３］
前記コアエンジン（１４、１１４、２１４、３１４、４１４、５１４）が、空洞（５８４）をさらに含み、前記ストッパ（５８、１５８、１９８、２５８、３５８、４５８、５５８）が、前記空洞（５８４）に配置される、実施態様１２に記載のタービンエンジン（１０、１１０）。
［実施態様１４］
前記アクチュエータ（５８６）が、前記ブロッカドア（５４、１５４、２５４、５５４）が前記展開位置にあるときに前記空洞（５８４）の外部の前記ストッパ（５８、１５８、１９８、２５８、３５８、４５８、５５８）を前記バイパスダクト（３０、１３０）内に延ばす、実施態様１３に記載のタービンエンジン（１０、１１０）。
［実施態様１５］
前記コアエンジン（１４、１１４、２１４、３１４、４１４、５１４）の外部を形成する内側カウル（４３２）をさらに備え、前記ストッパ（５８、１５８、１９８、２５８、３５８、４５８、５５８）が、前記コアエンジン（１４、１１４、２１４、３１４、４１４、５１４）の前記内側カウル（４３２）に配置される、実施態様１に記載のタービンエンジン（１０、１１０）。
［実施態様１６］
コアエンジン（１４、１１４、２１４、３１４、４１４、５１４）と、ナセル（１２、１１２）であって、前記コアエンジン（１４、１１４、２１４、３１４、４１４、５１４）の少なくとも一部を取り囲んで前記ナセル（１２、１１２）と前記コアエンジン（１４、１１４、２１４、３１４、４１４、５１４）との間にバイパスダクト（３０、１３０）を画定するナセル（１２、１１２）とを含むタービンエンジン（１０、１１０）用のスラストリバーサアセンブリ（４４、１４４）であって、
カスケード要素（５２、１５２）と、
ブロッカドア（５４、１５４、２５４、５５４）が前記カスケード要素（５２、１５２）を閉じる格納位置と、前記ブロッカドア（５４、１５４、２５４、５５４）が前記カスケード要素（５２、１５２）を開く展開位置との間で移動可能なブロッカドア（５４、１５４、２５４、５５４）と、
前記ブロッカドア（５４、１５４、２５４、５５４）に機械的に結合し、前記ブロッカドア（５４、１５４、２５４、５５４）を前記格納位置と前記展開位置との間で選択的に移動させるブロッカドアアクチュエータ（６２）と、
前記展開位置で前記ブロッカドア（５４、１５４、２５４、５５４）に当接するように配置されて空気力学的負荷を前記展開位置で前記ブロッカドア（５４、１５４、２５４、５５４）に分担するストッパ（５８、１５８、１９８、２５８、３５８、４５８、５５８）であって、
前縁（２６４、３６４、４６４）と後縁（２６６、３６６、４６６）との間に延びて弓形の翼形部形状を画定する湾曲したストッパ中心線（２６８、３６８）を含む翼形部形状、
前記ストッパ（５８、１５８、１９８、２５８、３５８、４５８、５５８）を通って延びる開口（２７８、４７８）、または
前記ブロッカドア（５４、１５４、２５４、５５４）が前記展開位置にあるときに前記ストッパ（５８、１５８、１９８、２５８、３５８、４５８、５５８）を延ばして前記ブロッカドア（５４、１５４、２５４、５５４）に当接させるように動作可能なアクチュエータ（５８６）
のうちの１つをさらに備えるストッパ（５８、１５８、１９８、２５８、３５８、４５８、５５８）と
を備える、スラストリバーサアセンブリ（４４、１４４）。
［実施態様１７］
前記ストッパ（５８、１５８、１９８、２５８、３５８、４５８、５５８）が、
前記前縁（２６４、３６４、４６４）と前記後縁（２６６、３６６、４６６）との間に延びて前記弓形の翼形部形状を画定する前記湾曲したストッパ中心線（２６８、３６８）、
前記ストッパ（５８、１５８、１９８、２５８、３５８、４５８、５５８）を通って延びる前記開口（２７８、４７８）、または
前記ブロッカドア（５４、１５４、２５４、５５４）が前記展開位置にあるときに前記ストッパ（５８、１５８、１９８、２５８、３５８、４５８、５５８）を延ばして前記ブロッカドア（５４、１５４、２５４、５５４）に当接させるように動作可能な前記アクチュエータ（５８６）
のうちの２つをさらに備える、実施態様１６に記載のスラストリバーサアセンブリ（４４、１４４）。
［実施態様１８］
前記ストッパ（５８、１５８、１９８、２５８、３５８、４５８、５５８）が、
前記前縁（２６４、３６４、４６４）と前記後縁（２６６、３６６、４６６）との間に延びて前記弓形の翼形部形状を画定する前記湾曲したストッパ中心線（２６８、３６８）、
前記ストッパ（５８、１５８、１９８、２５８、３５８、４５８、５５８）を通って延びる前記開口（２７８、４７８）、または
前記ブロッカドア（５４、１５４、２５４、５５４）が前記展開位置にあるときに前記ストッパ（５８、１５８、１９８、２５８、３５８、４５８、５５８）を延ばして前記ブロッカドア（５４、１５４、２５４、５５４）に当接させるように動作可能な前記アクチュエータ（５８６）
のうちの３つをさらに備える、実施態様１６に記載のスラストリバーサアセンブリ（４４、１４４）。
［実施態様１９］
前記ストッパ（５８、１５８、１９８、２５８、３５８、４５８、５５８）が、前記湾曲したストッパ中心線（２６８、３６８）を備え、前記ストッパ（５８、１５８、１９８、２５８、３５８、４５８、５５８）の前記前縁（２６４、３６４、４６４）における前記湾曲したストッパ中心線（２６８、３６８）が、前記バイパスダクト（３０、１３０）を通る流体の局所的な流れ（２７０、３７０）と位置合わせされる、実施態様１６に記載のスラストリバーサアセンブリ（４４、１４４）。
［実施態様２０］
前縁（２６４、３６４、４６４）と後縁（２６６、３６６、４６６）との間に延びるストッパ中心線（２６８、３６８）を画定し、展開位置で隠されたブロッカドア（５４、１５４、２５４、５５４）に当接するように配置されて空気力学的負荷を前記展開された隠されたブロッカドア（５４、１５４、２５４、５５４）に分担する翼形部形状を備える、タービンエンジン（１０、１１０）用の展開可能な隠されたブロッカドア（５４、１５４、２５４、５５４）のストッパ（５８、１５８、１９８、２５８、３５８、４５８、５５８）であって、
前記前縁（２６４、３６４、４６４）と前記後縁（２６６、３６６、４６６）との間に延びて弓形の翼形部形状を画定する湾曲したストッパ中心線（２６８、３６８）、
前記ストッパ（５８、１５８、１９８、２５８、３５８、４５８、５５８）を通って延びる開口（２７８、４７８）、または
前記ブロッカドア（５４、１５４、２５４、５５４）が前記展開位置にあるときに前記ストッパ（５８、１５８、１９８、２５８、３５８、４５８、５５８）を延ばして前記隠されたブロッカドア（５４、１５４、２５４、５５４）に当接させるように動作可能なアクチュエータ（５８６）
のうちの１つをさらに備える、ストッパ（５８、１５８、１９８、２５８、３５８、４５８、５５８）。
［実施態様２１］
前記ストッパ（５８、１５８、１９８、２５８、３５８、４５８、５５８）が、
前記前縁（２６４、３６４、４６４）と前記後縁（２６６、３６６、４６６）との間に延びて前記弓形の翼形部形状を画定する前記湾曲したストッパ中心線（２６８、３６８）、
前記ストッパ（５８、１５８、１９８、２５８、３５８、４５８、５５８）を通って延びる前記開口（２７８、４７８）、または
前記ブロッカドア（５４、１５４、２５４、５５４）が前記展開位置にあるときに前記ストッパ（５８、１５８、１９８、２５８、３５８、４５８、５５８）を延ばして前記隠されたブロッカドア（５４、１５４、２５４、５５４）に当接させるように動作可能な前記アクチュエータ（５８６）
のうちの２つをさらに備える、実施態様２０に記載のストッパ（５８、１５８、１９８、２５８、３５８、４５８、５５８）。
［実施態様２２］
前記ストッパ（５８、１５８、１９８、２５８、３５８、４５８、５５８）が、
前記前縁（２６４、３６４、４６４）と前記後縁（２６６、３６６、４６６）との間に延びて前記弓形の翼形部形状を画定する前記湾曲したストッパ中心線（２６８、３６８）、
前記ストッパ（５８、１５８、１９８、２５８、３５８、４５８、５５８）を通って延びる前記開口（２７８、４７８）、または
前記ブロッカドア（５４、１５４、２５４、５５４）が前記展開位置にあるときに前記ストッパ（５８、１５８、１９８、２５８、３５８、４５８、５５８）を延ばして前記隠されたブロッカドア（５４、１５４、２５４、５５４）に当接させるように動作可能な前記アクチュエータ（５８６）
のうちの３つをさらに備える、実施態様２０に記載のストッパ（５８、１５８、１９８、２５８、３５８、４５８、５５８）。
【符号の説明】
【００５３】
１０  高バイパスターボファンエンジン
１２  ナセル
１４  コアエンジン
１６  ファンアセンブリ
１８  スピナノーズ
２０  ファンブレード
２２  高圧圧縮機
２４  燃焼器
２６  高圧タービン
２８  低圧タービン
３０  バイパスファンダクト
３２  内側コアカウル
３４  ファン出口ノズル
３６  エンジン中心線
３８  主排気ノズル
４０  入口アセンブリ
４２  ファンカウル
４４  スラストリバーサアセンブリ
４６  ナセル内部
４８  出口ガイドベーン
５０  並進カウル
５２  カスケード
５４  ブロッカドア
５８  ストッパ
６０  後方方向
６２  アクチュエータ
６４  空洞
６６  半径方向内側壁
６８  半径方向外側壁
７０  ローラおよびガイドトラックアセンブリ
７２  ローラ
７４  後端部
７６  ブロッカドアガイドトラック
８０  ピボットアセンブリ
８４  回転ピボット
９２  半径方向軸線
９４  端部
９６  ＨＰ空気流
１１０  エンジン
１１２  ナセル
１１４  コアエンジン
１２６  高圧タービン
１３０  バイパスダクト
１３２  内側コアカウル
１４４  スラストリバーサアセンブリ
１５０  並進カウル
１５２  カスケード
１５４  ブロッカドア
１５８  ストッパ
１６０  後方方向
１６２  作動システム
１６６  内側壁
１６８  外側壁
１７４  後端部
１８０  ピボットアセンブリ
１８８  前端部
１９２  半径方向軸線
１９４  長手方向端部
１９６  ＨＰ空気流
１９８  ストッパ
２００  シート
２１４  コアエンジン
２３２  内側コアカウル
２５４  ブロッカドア
２５８  ストッパ
２６０  第１の凸状側壁
２６２  第２の凸状側壁
２６４  前縁
２６６  後縁
２６８  直線トッパ中心線
２７０  流体の局所的な流れ
２７８  開口
３１４  コアエンジン
３３２  内側コアカウル
３５８  ストッパ
３６０  凹状側壁
３６２  凸状側壁
３６４  前縁
３６６  後縁
３６８  ストッパ中心線
３７０  流体の局所的な流れ
３７２  前縁軸線
３７４  後縁軸線
４１４  コアエンジン
４３２  内側カウル
４５８  ストッパ
４６０  第１の側壁
４６２  第２の側壁
４６４  前縁
４６６  後縁
４７０  流体の主流、供給流体
４７６  供給流体
４７８  開口
４８０  出口
４８２  導管
５１４  コアエンジン
５３２  内側コアカウル
５５４  ブロッカドア
５５８  ストッパ
５７０  流体の流れ
５８４  空洞
５８６  ストッパアクチュエータ
５８８  エクステンダ
【図１】
2019035403.tif 000003
【図２】
2019035403.tif 000004
【図３】
2019035403.tif 000005
【図４】
2019035403.tif 000006
【図５】
2019035403.tif 000007
【図６】
2019035403.tif 000008
【図７】
2019035403.tif 000009
【図８】
2019035403.tif 000010
【図９】
2019035403.tif 000011
【図１０】
2019035403.tif 000012
【図１１】
2019035403.tif 000013
【図１２】
2019035403.tif 000014
【図１３】
2019035403.tif 000015
【外国語明細書】
2019035403000001.pdf